(57)【要約】【課題】工場出荷時から装置が設置されるまでの間、画像処理装置に内蔵されたバックアップ電池の放電を抑制して、そのバックアップ電池の劣化を防止する。【解決手段】本体部と、給紙部とが別体として構成されており、本体部と給紙部とを、着脱自在なコネクタを介在させたハーネスによって電気的に接続するようにした画像処理装置において、給紙部にバックアップ電池を備え、ハーネスのコネクタを接続したときにはじめて、本体部の揮発性メモリにバックアップ用電源を供給する。【選択図】図１
2009303135.tif 000002
【特許請求の範囲】
【請求項１】
メイン制御部、印字部、揮発性メモリを備えた本体部と、前記本体部に給紙する給紙部とが別体として構成されており、該装置の組立て設置時には、前記本体部と前記給紙部とを結合して、更に、前記本体部と前記給紙部とを着脱自在なコネクタを介在させたハーネスによって電気的に接続するようにした画像処理装置において、
前記給紙部に給紙制御部とバックアップ電池を備え、前記ハーネスのコネクタを接続したときに前記本体部の揮発性メモリにバックアップ用電源を供給する構成にした画像処理装置。
【請求項２】
請求項１において、前記バックアップ電池は２次電池である画像処理装置。
【請求項３】
請求項１または２において、
前記ハーネスは、前記メイン制御部と、前記給紙制御部とを接続する制御信号線と、前記本体部より前記給紙制御部に作動電源を供給する給電線と、前記揮発性メモリに前記バックアップ電池の電源を供給するバックアップ給電線とを少なくとも含んでいる画像処理装置。
【発明の詳細な説明】
【技術分野】
【０００１】
本発明は、オフィス用複合機等に適用される画像処理装置の改良に関する。
【背景技術】
【０００２】
オフィス用複合機等では、ファクシミリ通信において、一般に代行受信や時刻指定送信が可能になっている。そして、代行受信した画像データや時刻指定送信すべき画像データ等はメモリに保存されているが、それらの画像データは一度失われてしまうと回復が困難なため、停電時にはバックアップ電池によってメモリをバックアップされる仕組みになっている。
【０００３】
そのようなメモリのバックアップに関する先行技術の例として、次の特許文献１には、基本的にコピー機として構成された画像処理装置において、ＦＡＸ通信ボードを装着すればファクシミリ装置としても使用できる装置が開示されており、バックアップ電池は、そのＦＡＸ通信ボードに備えられている。
【特許文献１】特開２００６−２９５９０２号公報
【発明の開示】
【発明が解決しようとする課題】
【０００４】
ところで、オフィス用複合機等、ファクシミリ機能を最初から有した画像処理装置では、従来、画像メモリのバックアップ電池として、本体部のメイン制御部を構成する回路基板上に２次電池が装着されている。画像処理装置は、その２次電池を充電した状態で出荷されるが、倉庫保管、輸送等の時間が長くなると、２次電池が過放電となって劣化する問題があった。また、過放電にはならなくとも、使用開始からバックアップが可能になるまでの時間が長くなる。そこで、本発明は、そのような問題の解決すべく、画像処理装置が設置されるまでの間は、バックアップ電池の放電が抑制される画像処理装置を提供する。
【課題を解決するための手段】
【０００５】
本発明は、メイン制御部、印字部、揮発性メモリを備えた本体部と、前記本体部に給紙する給紙部とが別体として構成されており、該装置の組立て設置時には、前記本体部と前記給紙部とを結合して、更に、前記本体部と前記給紙部とを着脱自在なコネクタを介在させたハーネスによって電気的に接続するようにした画像処理装置において、前記給紙部に給紙制御部とバックアップ電池を備え、前記ハーネスのコネクタを接続したときに前記本体部の揮発性メモリにバックアップ用電源を供給する構成にした。
【０００６】
なお、前記電池は、２次電池であるのが望ましい。また、前記ハーネスは、前記メイン制御部と、前記給紙制御部とを接続する制御信号線と、前記本体部より前記給紙制御部に作動電源を供給する給電線と、前記揮発性メモリに前記バックアップ電池の電源を供給するバックアップ給電線とを少なくとも含んでいる。
【発明の効果】
【０００７】
本発明による画像処理装置は、本体部と給紙部とが別体として構成されており、それらは個別に梱包される。従って、画像処理装置の設置時に本体部と給紙部とが組み付けられて、バックアップ給電線を含んだハーネスのコネクタが接続されるまでは、給紙部に備えられたバックアップ電池から、本体部の揮発性メモリに電力が供給されないので、電池の無駄な放電が抑えられる。
【０００８】
また、制御信号線と、給電線と、バックアップ給電線とをハーネスにしており、そのハーネスのコネクタによってそれらの線を同時に結線できるため、画像処理装置の設置作業が容易になる。
【発明を実施するための最良の形態】
【０００９】
以下、本発明の実施形態を図に従って説明する。
【００１０】
図１は、本発明に係る画像処理装置を斜め後方から見た組立て図、図２は画像処理装置の基本構成を説明する機能ブロック図である。
【００１１】
この画像処理装置１は、ファクシミリ複合機であって、操作パネル１１、メイン制御部１２、印字部１３、原稿読取部１４、揮発性メモリで構成された画像メモリ１５、規格サイズの記録紙に対応した複数の給紙カセット１６等を備えた本体部１０と、本体部１０に給紙する増設給紙カセット１８、給紙制御部１９、バックアップ電池２等を備えた給紙部１７とが別体として構成されており、組立て設置時には、本体部１０を給紙部１７に載せて、本体部１０と給紙部１７とを、着脱自在なコネクタ３を介在させたハーネス４によって電気的に接続する。ハーネス４は、フレキシブル・ケーブル、フラットケーブル等で構成できるが、単にビニール線を束ねたものでもよい。なお、ハーネス４およびコネクタ３は、コネクタ３の接続後に、カバーパネル２１によって隠される。
【００１２】
画像処理装置１は基本機能として、通話回線を通じて他のファクシミリ装置から受信した画像データを画像メモリ１５に一時的に格納し、更に印字部１３から出力する一方、原稿読取部１４で原稿を読み取った画像データを他のファクシミリ装置に送信するファクシミリ機能と、原稿読取部１４で原稿を読み取った画像データを印字部１３から出力するコピー機能と、ネットワーク、あるいはＵＳＢを通じてパーソナルコンピュータ等から受信した画像データを印字部１３から出力するプリンタ機能と、原稿読取部１４で原稿を読み取った画像データをネットワーク、あるいはＵＳＢを通じてパーソナルコンピュータ等に送信するスキャナ機能とを有している。これらの基本機能は、従来の構成と同様である。
【００１３】
本体部１０を構成する操作パネル１１は、テンキー、スタートキー等の操作キーと、小型液晶パネルからなる表示窓とを有している。
【００１４】
また、メイン制御部１２は、各種制御プログラムを実行するマイクロコントローラ（セントラル・プロセッシング・ユニット）を搭載した主回路、通話回線に接続するためのモデム、ネットワークあるいはＵＳＢ（ユニバーサル・シリアル・バス）による通信を制御する通信回路、画像処理回路等で構成され、装置の各部を制御する。
【００１５】
印字部１３は、ファクシミリ受信した画像データ、原稿読取部１４で原稿を読み取った画像データを所定サイズの記録紙に白黒印刷、あるいはカラー印刷する。印刷方式に制限はなく、例えば、電子写真方式、あるいはインクジェット方式としてもよい。
【００１６】
原稿読取部１４は、ＦＢ（フラットベット）とＡＤＦ（オート・ドキュメント・フィーダ）とを備えており、原稿を読み取って画像データを生成する。
【００１７】
画像メモリ１５には、例えばＳＤＲＡＭ（シンクロナス・ダイナミック・ランダム・アクセス・メモリ）等が用いられるが、これらのメモリ素子は、揮発性で、記憶内容を保持するために常に電源を必要とするので、停電時には、バックアップ電池２によってバックアップ用電源を供給する必要がある。
【００１８】
また、本体部１０は、上記以外の構成要素として、給紙カセット１６から記録紙を搬送する機構部、給紙カセット１６の記録紙切れを検出するセンサ等も備えている。
【００１９】
なお、画像メモリ１５としてＳＤＲＡＭを用いた場合は、停電が検知された時に、ＳＤＲＡＭはセルフ・リフレッシュ・モードにされ、自律的に記憶保持する。しかしながら、セルフ・リフレッシュ・モードでは、ＳＤＲＡＭの内部で自律的に記憶保持の処理が行われるので、電力消費は無視できないレベルになる。従って、バックアップ電池２には２次電池が適している。なお、機器設定パラメータやワンタッチダイヤル等のユーザ設定パラメータを保持するのには、例えばＳＲＡＭ（スタティック・ランダム・アクセス・メモリ）が用いられるが、このＳＲＡＭのバックアップ電源としても、バックアップ電池２を用いることが可能である。また、ＳＲＡＭのみをバックアップする構成としたときには、ＳＲＡＭが単に記憶内容を保持するのに必要な電力は無視できるレベル（リーク電流程度）なので、バックアップ電池２として、１次電池が採用できる。なお、これらのバックアップ電池２は、本発明の特徴として、給紙部１７に備えられる。
【００２０】
給紙部１７は、バックアップ電池２、本体部１０の給紙カセット１６と同様の増設給紙カセット１８、および増設給紙カセット１８から記録紙を搬送する機構部、増設給紙カセット１８の記録紙切れを検出するセンサ、機構部やセンサを制御する給紙制御部１９等を備えている。給紙部１７として、増設給紙カセット１８の数を異ならせた仕様を複数準備しておけば、ユーザが用途に応じていずれかを選択できるので便利である。なお、バックアップ電池２を２次電池とした場合は、給紙部１７は、本体部１０から給電線を通じて供給される電力によってバックアップ電池２を充電する充電回路、バックアップ電池２の出力電圧を計測する電圧監視回路等も備える。
【００２１】
本体部１０のメイン制御部１２と、給紙部１７の給紙制御部１９とを接続するハーネス４は、制御信号線と、本体部１０より給紙制御部１９に作動電源を供給する給電線と、バックアップ電池２から画像メモリ１５にバックアップ用電源を供給するバックアップ給電線とを少なくとも含んでいるので、１つのコネクタ３だけで、それらの制御信号線、給電線、バックアップ給電線の全てを結線できる。そのため、制御信号線、給電線、バックアップ給電線を、個別のハーネスとする構成に比べて、コネクタ３の数が少なくて済み、設置時の手間も少なくなる。
【００２２】
なお、本体部１０のメイン制御部１２と、給紙部１７の給紙制御部１９は制御信号線を通じて指令信号と応答信号とをやり取りするが、通信方式に制限はなく、シリアル方式の通信としても、パラレル方式の通信としてもよい。
【００２３】
本発明は、給紙部１７がバックアップ電池２を備え、本体部１０を給紙部１７に載置して、ハーネス４のコネクタ３を接続したときに、画像メモリ１５へのバックアップ用電源の供給が開始される点特徴としているが、特に画像メモリ１５としてＳＤＲＡＭを用いた構成に本発明を適用すれば、バックアップ電池２の劣化を抑制する、使用開始時から画像メモリ１５のバックアップが可能（バックアップ電池２は工場出荷時に予め充電しておく）など、特に効果的である。もちろん、揮発性メモリとしてＳＲＡＭを用いた構成に適用しても、バックアップ電池２の寿命を延ばすという効果がある。なお、上記では、ファクシミリ複合機について説明したが、複写機やプリンタに本発明を適用しても、同様の効果が得られる。
【図面の簡単な説明】
【００２４】
【図１】は、本発明に係る画像処理装置を斜め後方から見た組立て図である。
【図２】は、画像処理装置の基本構成を説明する機能ブロック図である。
【符号の説明】
【００２５】
１    画像処理装置
２    バックアップ電池
３    コネクタ
４    ハーネス（制御線、給電線、バックアップ給電線）
１１  本体部
１２  メイン制御部
１３  印字部
１５  画像メモリ（揮発メモリ）
１７  給紙部
【図１】
2009303135.tif 000003
【図２】
2009303135.tif 000004